(57)【要約】【課題】遊技機の入替え作業における遊技機の運搬作業、設置作業を容易に行うことができ、一体化した上部ユニットおよび下部ユニットの縦方向と横方向に作用する衝撃力を緩和する遊技機を提供する。【解決手段】スロットマシン１０は上部ユニット１１と下部ユニット１２とを分離する構造にする。上部ユニット１１の下部には、上部レール部材４５が所定間隔離間して設けられる。下部ユニット１２の上部には、上部レール部材４５に対向して下部レール部材４７が設けられる。上部枠体１４の下端面が下部枠体１５の上端面に載置された際、上部レール部材４５が下部レール部材４７に係合し、上部ユニット１１は上部レール部材４５が下部レール部材４７に沿って下部ユニット１２上を変位する。【選択図】  図１
2004298590.tif 000002
【特許請求の範囲】
【請求項１】
外周に図柄を配列した複数のリールを有するリールユニットと、
前記複数のリールを個々に回転させ、停止したときの前記図柄の組み合わせに応じて入賞の払出しを行う遊技制御手段と、
前記遊技制御手段による遊技の進行に関連する演出を行う演出制御手段とを備えた遊技機において、
前記遊技機は、上部ユニットおよび下部ユニットからなり、前記上部ユニットと下部ユニットとを一体または分離する連結手段を有することを特徴とする遊技機。
【請求項２】
請求項１記載の遊技機において、
前記連結手段は、前記上部ユニットと前記下部ユニットとの間に形成された空間部に設けられていることを特徴とする請求項１に記載の遊技機。
【請求項３】
請求項２記載の遊技機において、
前記連結手段は、上部枠体の鉛直下方に指向する外側面に取り付けられた上部レール部材と、下部枠体に固着される下部レール部材とを備え、
前記上部レール部材は、前記下部レール部材に係合し、該下部レール部材に沿って変位可能に設けられることを特徴とする遊技機。
【請求項４】
請求項３記載の遊技機において、
前記上部レール部材は、前記下部レール部材に係合されることを特徴とする遊技機。
【発明の詳細な説明】
【０００１】
【発明の属する技術分野】
本発明は、図柄が外周に複数個配列された複数のリールを回転表示し、遊技者のリール停止ボタン操作によって、すべてのリールの回転が停止したときに表示される図柄の組み合わせに基づいて入賞が決定され、所定の払出しが行われる遊技機に関する。
【０００２】
【従来の技術】
従来、スロットマシンに代表される遊技機は、一体に形成された筐体内上方部に外周に複数個の図柄が配列された３個の回転リールと、それらの回転リールを駆動させるステッピングモータと、外周に配列された図柄を遊技中に遊技者が目視しやすいように各回転
リールが内側に設けられ、背面から各図柄を照射するランプまたはＬＥＤ（以下バックライトという）とからなるリールユニットが収納されている。
さらに、前記リールユニットの近傍には、遊技用制御基板および演出用制御基板が取り付けられている。
【０００３】
また、筐体に開閉自在に取り付けられた前面扉の上方部には、リールユニットに対応する位置に表示窓が設けられ、さらには、遊技機内部での乱数による抽選処理によって決定される抽選結果を遊技者に報知するための表示ランプや告知ランプ、スピーカーおよび入賞配当を図示した表示パネルが取り付けられている。
【０００４】
一方、メダル払出機能を有するメダルホッパー、メダル回収ボックスおよび遊技機を駆動させる電源等は、筐体の内部下方部の空間部に収納されている。
また、前面扉の中央部には、遊技者が遊技を進行させる際のメダル投入口、スタートボタン、複数のリール停止ボタンおよび複数のベットスイッチ等が設けられ、筐体の下方部正面には遊技機の種類を視覚的にデザインした下部パネル、メダル受皿等が取り付けられている。
【０００５】
上記の遊技機において、遊技者がメダルをメダル投入口に投入しスタートレバーを操作すると、各回転リールは回転を開始してゲームがスタートする。各回転リールが一斉に回転を始めると、図柄が表示窓に移動して表示される。
【０００６】
そして、遊技者が移動表示される図柄を見ながら各リールに対応する３個の停止ボタンを順次操作すると、夫々の回転リールが停止し、図柄は有効ライン上のいずれかで停止する。
有効ラインは５本設けられており、メダルの投入枚数が１枚、２枚、３枚と増えるに従って、有効ラインの本数も１本、３本、５本と増えるようになっている。その結果、有効ライン上に所定の図柄の組み合わせが揃うと入賞となり、メダルの払出しが行われる。
【０００７】
遊技者は、上記のように入賞役の内部当選が予想される場合、役に対応する図柄を有効ライン上に停止させるように停止ボタンを操作する。そして、入賞役に対応する図柄が有効ライン上に揃えられると、その役に対応する枚数のメダルの払出しを受けることができる。この場合、役に対応する図柄を揃えることができなければ投入したメダルを失うことになる。
【０００８】
従来の遊技機の筐体は、一体に形成された枠体と、その枠体に一側縁部が開閉自在に設けられ、他側縁部が枢支された一体の前面扉とから構成されている。前記枠体の内部は仕切板で仕切られ、前記仕切板により仕切られた枠体の上方部にはリールユニットが取り付けられるとともに、遊技制御基板および演出制御基板が前記仕切板の上方部の内壁面あるいは前面扉の内壁面に取り付けられている。
一方、仕切板の下方部の空間部にはメダルホッパー、メダル回収ボックスおよび電源ユニット等が収納されている。
【０００９】
【発明が解決しようとする課題】
ところで、近年、多種多様な遊技機が開発されており、遊技者のニーズも多様化になっているため遊技者の興味を惹起するためには、遊技機を短期間で新機種に入替えなければならくなっている。従って、遊技機のライフサイクルが短くなっている。
しかしながら、上記の遊技機では、運搬作業、設置および配線処理等に時間、労力が増大し、ホール管理者は作業時間、作業コストおよび作業量の維持管理においてて多大な費用負担が強いられるという問題が発生していた。
【００１０】
また、機種入替え作業時に裏ロムと称する不正基板が取り付けられたり、その他様々な不正制御装置が取り付けられ易いという問題があった。
【００１１】
そこで、図柄回胴ユニットと制御部および図柄表示パネルとを扉体に形成した開口部に対して一体的に着脱可能な装着ユニットを有する遊技機が開発されている（例えば、特許文献１参照）。
また、可変表示装置、遊技制御手段および演出制御手段を一体に組み付けたユニットを交換可能に取り付けた遊技機が開示されている（例えば、特許文献２参照）。
【特許文献１  特許第３１２６８１２号公報】
【特許文献２  特開２００３−１０３８４号公報】
【００１２】
しかしながら、上記特許文献１、２に開示されている技術は、一体に形成された筐体に開口部を設け、上部スペースの内部に収納された装着ユニット（または交換ユニット）のみを着脱可能にしたため、簡易なロック機構が設けられていた。このため、装着ユニットを取り付ける際、該装着ユニットを安定して設置することができなかった。
【００１３】
さらには、前面扉を開放した状態で交換ユニットのみを遊技機本体から着脱する際、作業スペースが必要であり、交換ユニットの強さを考慮した慎重な作業が要求されるため、作業時間が長くなるという問題があった。
【００１４】
また、簡易なロック機構のため、ユニット装着時の安定性およびセキュリティに不安が残るという問題があった。
【００１５】
本発明は、上記の問題を解決するためになされたもので、容易に遊技機の入替え作業が可能であり、作業コストを低減させるとともに安定性および安全性に優れた構造を有する遊技機を提供することを目的とする。
【００１６】
【課題を解決するための手段】
上記課題を解決するため、本発明は、外周に図柄を配列した複数のリールを有するリールユニットと、
前記複数のリールを個々に回転させ、停止したときの前記図柄の組み合わせに応じて入賞の払出しを行う遊技制御手段と、
前記遊技制御手段による遊技の進行に関連する演出を行う演出制御手段とを備えた遊技機において、
前記遊技機は、上部ユニットおよび下部ユニットからなり、前記上部ユニットと下部ユニットとを一体または分離する連結手段を有することを特徴とする。
【００１７】
本発明によれば、上部ユニットと下部ユニットとを分離する構造にすることにより、遊技機の入替え作業における前記上部ユニットまたは下部ユニットの交換作業時間が短縮され、遊技機の入替え作業えが簡便になり、遊技機が設置される遊技ホールの保守管理の費用を低減することができる。
【００１８】
前記連結手段は、前記上部ユニットと下部ユニットとの空間部に形成されているので、該連結手段を小型化に形成して収納することができ好適である。
【００１９】
この場合、前記連結手段は、上部枠体の鉛直下方に指向する外側面に取り付けられた上部レール部材と、下部枠体に固着される下部レール部材とを備え、前記上部レール部材は、前記下部レール部材に係合し、該下部レール部材に沿って変位可能に設けられるので、前記上部ユニットおよび下部ユニットを一体化した際の縦方向および横方向に作用する衝撃力を吸収して緩和することが可能である。
よって、上部ユニットおよび下部ユニットに収納される周辺機器の損傷を低減することが可能である。
【００２０】
さらに、前記上部レール部材は、前記下部レール部材にガイドされるので、常に前記上部ユニットと下部ユニットとの横方向の位置決めを一定に設定することが可能である。
【００２１】
【発明の実施の形態】本発明の実施の形態に係る遊技機について好適な実施の形態を挙げ、添付図面を参照しながら以下詳細に説明する。
【００２２】
図１および図２により、本発明による遊技機、例えば、スロットマシン１０の構成について説明する。スロットマシン１０は、基本的には上部ユニット１１と、下部ユニット１２と、前記上部ユニット１１と下部ユニット１２とを分離または一体にする連結手段から構成され、前記上部ユニット１１は下部ユニット１２に載置される。この場合、前記上部ユニット１１および下部ユニット１２はそれぞれ分離可能に形成されている。
前記上部ユニット１１の上部枠体１４は木製、例えば、合板、集成材であって、略長方形状の板状に形成された上面板１６および背面板１７と、前記上面板１６の左右両端縁から略鉛直下方向に延在する台形状の側面板１８、１９と、前記側面板１８、１９の下端より下方に突出する逆Ｌ字状の脚部２０とから形成される。
【００２３】
前記脚部２０は、側面板１８、１９の下端に取着され、該側面板１８、１９の内方に略水平方向に延在する横板２０ａと、前記横板２０ａに対し略鉛直下方向に指向する縦板２０ｂとから構成される。この場合、前記横板２０ａは後述する上部レール部材４５を取り付けるスペースを確保するため、該上部レール部材４５の幅（図１の矢印Ａ、Ｂ方向）よりもわずかに広く内方にそれぞれ突出されている。前記縦板２０ｂは、突出長（図１の矢印Ｘ、Ｙ方向）が縦板４５ｃの長さ（図１の矢印Ｘ、Ｙ方向）よりも若干短く形成される。なお、脚部２０は、側面板１８、１９に取着されたブラケット４４により機械的強度が補強される。
【００２４】
一方、前記下部ユニット１２の下部枠体１５は木製、例えば、合板、集成材であって、長方形状の板状の下部仕切板２１、背面板２２、前記下部仕切板２１の左右両端縁から鉛直下方向に延在する台形状の側面板２３、２４および前記側面板２３、２４に取着される底板２５より構成される。
【００２５】
上部ユニット１１には、該上部ユニット１１の前面（図２の左側面）に上部前面扉２８が取り付けられている。前記上部前面扉２８の中央部には表示パネル（図示せず）が嵌め込まれており、一部透明の３つの表示窓（図示せず）を通して、スロットマシン１０の内部に並設されている複数個、例えば、３個のリール２９が観察できる。
【００２６】
前記リール２９の外周面には複数個、例えば、２１個の図柄（図示せず）が等間隔で配列されており、前記図柄は、ビッグボーナス（ＢＢ）図柄、レギュラーボーナス（ＲＢ）図柄、小役図柄、リプレイ図柄等から構成され、それぞれ異なる図柄が配列されている。
【００２７】
リール２９は、リールユニット３０として構成され、前記リール２９毎にリール駆動手段の一部であるステッピングモータ３１が連結されており、このステッピングモータ３１の駆動によって前記リール２９が回転され、各表示窓内にそれぞれのリール２９が移動表示される。前記リール２９の内部には、複数個、例えば、３個のランプケース３２がそれぞれ設けられている。
【００２８】
前記ランプケース３２の内部には、バックライト（図示せず）が取り付けられている。前記バックライトはランプ駆動回路（図示せず）を介して個別に点灯制御され、図柄をリール２９毎に３個ずつ背面から照らすことができる。
【００２９】
前面パネルの表示窓上には、横方向に３本と、斜め方向に２本の合計５本の有効ラインが表示される。リール２９が順次停止し、前記５本の有効ライン上のいずれかに特定の図柄が揃った場合に、入賞となり所定のメダルの払出しが行われる。
【００３０】
有効ライン数は、メダル投入口３３から投入されたメダル枚数、あるいはクレジットメダル表示部（図示せず）にメダルがクレジットされている場合には、ＢＥＴスイッチ（図示せず）の押下操作によって設定されたメダル投入枚数に応じて表示される本数が異なる。ＢＥＴ表示ランプ（図示せず）は、例えば、有効ライン数を示す数字「１」、「２」、「３」が縦方向または横方向に配列されており、１枚のメダルが投入された場合は、ＢＥＴ表示ランプの数字「１」の表示点灯により１本の有効ラインが表示され、２枚のメダル投入があった場合は、数字「２」の表示点灯により３本の有効ラインが表示される。そして、３枚のメダルが投入されると、数字「３」の表示点灯により５本の有効ラインが表示される。
【００３１】
前記前面パネルの両側には、サイドランプ（図示せず）およびサイドスピーカー（図示せず）が設けられ、上方には上部ランプ３４、表示窓の上部には液晶表示部（図示せず）等が設けられている。前記上部ランプ３４および液晶表示部は、駆動回路を介して制御され、ゲーム中の一般的な入賞報知やマシン動作の効果音、効果サウンド等を出力するほか、様々な内部当選の結果を遊技者に告知するための表示手段（図示せず）から構成されている。なお、ゲーム中の内部当選の告知は上記表示手段のほかに告知表示部（図示せず）が設けられ、該告知表示部で行わせてもよい。
【００３２】
上部枠体１４の背面板１７の内側に取り付けられている遊技制御基板（遊技制御手段）３５には、スロットマシン１０で実行されるゲームシーケンスプログラムが格納されている。前記遊技制御基板３５はゲーム全体の進行を制御するととに、図柄テーブル、入賞組み合わせテーブルおよび入賞確率テーブルが格納されており、乱数発生器から所定のタイミングでゲーム毎に乱数値を発生させ、その乱数値に基づいて前記各テーブルを参照して入賞の有無が判定され、入賞の場合には入賞役に対応した配当が払い出される機能を有する。
【００３３】
また、前記遊技制御基板３５は、入力ポートおよび出力ポート（図示せず）を有し、メダルセンサ、クロック発生回路、スタートレバー、第１〜第３のリールインデックス、停止ボタン、第１〜第３のリール、第１〜第３のリール表示器、メダルブロックソレノイド、スタートレバーＬＥＤ、３個のＢＥＴ表示ランプ等の周辺機器（いずれも図示せず）が電気的に接続されている。なお、前記リール２９はステッピングモータ３１に同軸的にそれぞれ連結されており、一定のステップ角度に回転される。
【００３４】
リールインデックスは、リール２９が一回転する毎に発生するリセットパルスを検出し、その所定の基準位置からの回転角度が前記リール２９の回転位置として計数され、その計数値が遊技制御基板３５に入力される。演出制御基板（演出制御手段）３６は、主にデータを送出するための送出タイミング制御回路およびデータ送出回路等から構成され、ゲームの状況に応じて、前記送出タイミング制御回路にデータの出力タイミング情報信号が出力され、該出力タイミング情報信号が一時的に蓄えらた後、サブ制御部のデータ入力回路に出力される。
【００３５】
一方、上部枠体１４の側面板１８の内面壁に取り付けられる前記演出制御基板３６は、ＣＰＵ、音声ＬＳＩ、データ入力回路、クロック発生回路、制御用ＲＯＭ、ＲＡＭ、音声用ＲＯＭ、アンプ回路等を備え、液晶（ドット）表示装置、上部ランプ、サイドランプ（いずれも図示せず）、リールバックライトおよびスピーカー（図示せず）等が接続されている。
【００３６】
下部ユニット１２の下部前面扉３７の上方部には、リール２９を回転させるための可変表示始動手段であるスタートレバー３８と複数の停止ボタン（図示せず）、ベットスイッチ（図示せず）および清算ボタン（図示せず）等が設けられ、中央正面には下部パネル（図示せず）が嵌め込まれている。
【００３７】
また、下部ユニット１２の下部前面扉３７の下方部には、投入されたメダルを返却する返却口（図示せず）や入賞時に獲得したメダルを払い出すメダル払出口（図示せず）から排出されたメダルを貯留するためのメダル受皿３９が設けられている。
【００３８】
下部ユニット１２の内部には、メダルホッパー４０、メダル回収ボックス４１、電源ユニット４２および外部集中端子板４３が取り付けられている。
【００３９】
次に、図３ないし図５により連結手段１３について説明する。
前記連結手段１３は、脚部２０の鉛直下方向に指向する外側面に取り付けられた金属製の上部レール部材４５と、前記脚部２０の内側面に係着された金属製の上部仕切板４６と、下部仕切板２１に固着される金属製の下部レール部材４７と、側面板２３、２４の上端面および上端内側面を被覆するガイド部材４８とより構成される。
【００４０】
図３および図５に示すように、上部レール部材４５は要部が横断面略Ｕ字状に形成されており、上部横板４５ａと、前記上部横板４５ａに対し略平行で所定間隔離間した略直角形状の下部横板４５ｂと、前記上部横板４５ａと下部横板４５ｂとを連接する縦板４５ｃとから構成される。この場合、前記上部レール部材４５は金属製に限定されず、その他の材料、例えば、樹脂製材料でも勿論よい。
【００４１】
上部レール部材４５の長軸方向の長さは、横板２０ａよりも短尺化され、前記上部横板４５ａの下面に接合されて縦板２０ｂの外側面にねじ部材（図示せず）により取り付けられている。この場合、前記上部レール部材４５の長さおよび取り付け位置は、上部ユニット１１に設けられたストッパー部材２６の大きさと取り付け位置により適宜に変更することは可能である。
【００４２】
上部ユニット１１の底面を形成する上部仕切板４６は、板体の底面板４９と、この底面板４９を囲繞する側壁板５０とからなり、前記上部仕切板４６は、脚部２０の縦板２０ｂにねじ部材（図示せず）により固着される。
この場合、前記上部仕切板４６は、脚部２０の高さ（図３の矢印Ｘ、Ｙ方向）に対して、下部枠体１５の上面端よりも下方に取り付けられている。そのため、上部枠体１４が下部枠体１５に載置された際、脚部２０が前記下部枠体１５に収納される。
従って、上部枠体１４の脚部２０が下部枠体１５に埋設された状態になるため、上部ユニット１１と下部ユニット１２とが結合された際、横方向（図１の矢印Ａ、Ｂ方向）および前後方向（図１の紙面に対して垂直方向）のずれを防ぎ、安定した連結状態に保つことができる。
【００４３】
上部仕切板４６には、該上部仕切板４６の略中央部に略長方形状の開口部５１ａ、５１ｂが並列に適宜の間隔で設けられている。前記開口部５１ａ、５１ｂの裏面空間部には、コネクタ固定部５２、５３が設けられ、それぞれにオス型コネクタ（図示せず）が取り付けられている。
【００４４】
この場合、前記コネクタ固定部５２は、外部集中端子板４３（図１参照）からの配線（図示せず）を介して遊技制御基板３５に接続され、前記コネクタ固定部５３は、電源ユニット４２（図１参照）からの配線（図示せず）が遊技制御基板３５に接続されている。
また、コネクタ固定部５２、５３から遊技制御基板３５までの配線（図示せず）は、上部仕切板４６に設けられた開口部５４、５５を介して上部ユニット１１内に導出され、遊技制御基板３５に接続される。
上部仕切板４６の操作側（図２の上部前面扉２８側）中央部には、上部ユニット１１を下部ユニット１２に積重して、前記上部ユニット１１および下部ユニット１２を連結する際のねじ部材５７、５８が設けられている。
【００４５】
一方、下部仕切板２１の操作側（図２の下部前面扉３７側）には、メス型コネクタ５９、６０を有する下部コネクタ固定部材６１が設けられている。前記下部仕切板２１には、左右両端部が上方向に延設された突出部６２を有する略長方形状のスライド抑止部材６３が取り付けられている。さらに、下部仕切板２１には、ねじ部材５７、５８に螺合する連結固定ツマミ６４、６５が挿通自在に支持されている。よって、連結固定ツマミ６４、６５のそれぞれをねじ部材５７、５８に螺合すると、上部ユニット１１と下部ユニット１２とが連結固定される。
【００４６】
図１に示す一側（右側）の下部レール部材４７の端部近傍には、ストッパー孔（図示せず）が設けられ、該ストッパー孔からはストッパー部材２６が突出して前記上部ユニット１１の変位移動を阻止する機能を有する。
【００４７】
図４に示されるように、下部レール部材４７は、下部仕切板２１の上面および側面板２３、２４の内側面に当接される略Ｌ字状の底面板４７ａと、前記底面板４７ａに設けられ、該底面板４７ａが下部仕切板２１および側面板２３、２４に取着される取付部４７ｂ、４７ｃと、前記取付部４７ｂ間に設けられ、前記底面板４７ａに対し所定間隔離間して該取付部４７ｂ間から前記側面板２３、２４の内方に指向する突出部４７ｄより構成される。なお、前記下部レール部材４７は金属製に限定されず、他の材料、例えば、樹脂製材料でも勿論よい。
【００４８】
前記底面板４７ａには、縦板２０ｂおよび下部横板４５ｂの下端面が近接して設置されて上部レール部材４５をガイドする機能を有する。
【００４９】
ガイド部材４８（図３参照）は、上部枠体１４が下部枠体１５に載置され、該下部枠体１５上を変位移動する際、該上部枠体１４の移動を容易にするとともに、下部枠体１５の側面板２３、２４の上端面の摩耗、破損を防止する機能を有する。
【００５０】
本発明の実施の形態に係るスロットマシン１０は、基本的には以上のように構成されるものであり、次にその作用効果について説明する。
上部ユニット１１と下部ユニット１２とを一体にするためには、前記上部ユニット１１の下端面が前記下部ユニット１２の上端面に載置される。この場合、上部レール部材４５の下部横板４５ｂの下面が下部レール部材４７の底面板４７ａの上面に近接し、かつ上部レール部材４５の横部板材４５ｂの上端面が下部レール部材４７の突出部４７ｄの下面が近接する。
【００５１】
一方、上部レール部材４５の上部横板４５ｂの側壁面は下部レール部材４７の取付部４７ｂ、４７ｃの内側壁面に係合し、前記下部レール部材４７の突出部４７ｄの先端面が前記上部レール部材４５の縦板４５ｃの内側壁面に近接する。
そして、ストッパー部材２６を下降させてストッパー孔より離脱させた状態で、上部ユニット１１がガイド部材４８に沿って変位される。このため、上部レール部材４５が下部レール部材４７に沿って協動し、前記上部仕切板４６の側壁板５０がスライド抑止部材６３に当接して上部ユニット１１が所定位置に停止する。
【００５２】
この状態で、ねじ部材５７、５８に連結固定ツマミ６４、６５が螺合されると、前記上部ユニット１１と下部ユニット１２とが一体的に連結される。そして、ストッパー部材２６を上昇させてストッパー孔に係合されると、ねじ部材５７、５８と連結固定ツマミ６４、６５との螺合状態が解除されても上部ユニット１１の変位が阻止される。
【００５３】
次に、上部ユニット１１と下部ユニット１２とを分離するには、連結固定ツマミ６４、６５を回動してねじ部材５７、５８との螺着を解除する。次いで、ストッパー部材２６を下降させストッパー孔より離脱させた状態で、把持部５６により上部ユニット１１を所定位置まで変位させることにより、該上部ユニット１１と下部ユニット１２との連結状態を解除することができる。
【００５４】
本発明の第１の実施の形態に係るスロットマシン１０は、上部レール部材４５の上部横板４５ａおよび下部横板４５ｂが上部ユニット１１および下部ユニット１２の縦方向（図１の矢印Ｘ、Ｙ方向）に作用する衝撃力を緩和若しくは吸収することが可能である。さらに、上部ユニット１１および下部ユニット１２の横方向（図１の矢印Ａ、Ｂ方向）に作用する衝撃力を緩和若しくは吸収することが可能である。
【００５５】
図６は、本発明の他の実施の形態に係るスロットマシン７０の要部概略構造図を示す。前記スロットマシン７０は、脚部２０に代えて上部レール部材７１を上部枠体１１に取り付けたことを特徴とする。
図６中、図１ないし図５の構成要素と同一の構成要素については、同一符号を付して詳細な説明を省略する。
図６に示すように、上部レール部材７１は要部が横断面略Ｕ字状に形成されており、上部横板７１ａと、前記上部横板７１ａに対し略平行で所定間隔離間した略直角形状の下部横板７１ｂと、前記上部横板７１ａと下部横板７１ｂとを連接する縦板７１ｃと、前記縦板７１ｃに連接される逆Ｌ字状の突出部７１ｄとを備える。
【００５６】
この場合、上部レール部材７１は、下部横板７１ｂが底面板４７ａに近接し、前記下部横板７１ｂの縦方向（図６の矢印Ｘ方向）に指向する部位の外壁面が取付部４７ｂの内壁面に係合される。さらに、突出部７１の縦方向（図６の矢印Ｘ方向）の外壁面が側壁板１８、１９の内壁面に取着される。
この他の実施の形態に係るスロットマシン７０は、脚部２０（図１参照）に代えて上部レール部材７１を上部枠体１４に取り付けたことにより、前記上部枠体１４の構成を簡素にすることができ、結果として前記スロットマシン７０のコストを低減することが可能である。
【００５７】
【発明の効果】
以上説明したように、本発明は、上部ユニットと下部ユニットとを分離する構造にすることにより、遊技機の入替え作業における前記上部ユニットまたは下部ユニットの交換作業時間が短縮され、遊技機の入替え作業が簡便にすることが可能になり、遊技機が設置される遊技ホールの保守管理の費用を低減することができる。
さらに、本発明は、上部ユニットおよび下部ユニットを一体化した際の縦方向および横方向に作用する衝撃力を緩和することが可能である。
【図面の簡単な説明】
【図１】本発明の実施の形態に係る遊技機の前面扉を取り外した場合の内部構造を示す上部ユニットおよび下部ユニットの正面図である。
【図２】図１の遊技機に上部前面扉を取り付けた状態の内部構造を示す上部ユニット１および下部ユニットの側面図である。
【図３】図１の連結手段の構造を示す要部斜視図である。
【図４】図１の下部レール部材の斜視図である。
【図５】上部ユニットと下部ユニットとを結合した状態における上部レール部材と下部レール部材との係合状態を示す概略構成図である。
【図６】本発明の他の実施の形態に係る遊技機の上部レール部材と下部レール部材との係合状態を示す概略構成図である。
１０…スロットマシン
１１…上部ユニット
１２…下部ユニット
１３…連結手段
１４…上部枠体
１５…下部枠体
２０…脚部
２１…下部仕切板
４５、７１…上部レール部材
４６…上部仕切板
４７…下部レール部材
【図１】
2004298590.tif 000003
【図２】
2004298590.tif 000004
【図３】
2004298590.tif 000005
【図４】
2004298590.tif 000006
【図５】
2004298590.tif 000007
【図６】
2004298590.tif 000008